(57)【要約】      （修正有）【課題】インターフェースの操作においてのマウスの使用を控えたり不使用にして、ヒューマナイズされた使用感を高め、使用者の創作速度を高める実体描画装置を提供する。【解決手段】実体を伴う描画装置１００であって、タッチ入力によるデジタルブラシの操作に基き、画像オブジェクトＯを表示するデジタルキャンパス２１が含まれる実体描画表示部材２と、物理的なタッチ操作によりデジタルキャンパス２１のキャンパスプロパティー及び／またはデジタルブラシのブラシプロパティーを調整する実体操作部材３１１，３２１，３３１，３４１，３５１，３６１が少なくとも一つ含まれ、実体描画表示部材２に機能的に接合される実体描画ツール部材３が含まれ、実体操作部材３１１，３２１，３３１，３４１，３５１，３６１は空間に一定の形を保有する描画インターフェース装置である。【選択図】図１
0003190732.tif 000002
【実用新案登録請求の範囲】
【請求項１】
実体を伴う実体操作部材を備える実体描画装置であって、
タッチ入力によるデジタルブラシの操作に応じ、画像オブジェクトを表示するデジタルキャンパスが含まれる実体描画表示部材と、
物理的なタッチ操作により前記デジタルキャンパスのキャンパスプロパティー及び／または前記デジタルブラシのブラシプロパティーを調整する前記実体操作部材が少なくとも一つ含まれ、前記実体描画表示部材に機能的に接合される実体描画ツール部材が含まれ、前記実体操作部材が空間に一定の形を保有する実際の物体であり、実際の場所に位置することを特徴とする実体描画装置。
【請求項２】
前記実体描画表示部材と前記実体描画ツール部材とが取り外し可能な状態で接合され、または前記実体描画表示部材と前記実体描画ツール部材が取り外し可能な状態で描画ボード部材に設置されることを特徴とする請求項１に記載の実体描画装置。
【請求項３】
感圧式タッチディスプレイを備え、
前記デジタルブラシのブラシプロパティーと前記デジタルブラシによる前記感圧式タッチディスプレイに対する操作、及び前記感圧式の圧力検出情報に応じて前記デジタルブラシの色に関するブラシプロパティーを表示する、空間に一定の形を保有する物理的実体である実体デジタルパレット部材がさらに含まれることを特徴とする請求項１に記載の実体描画装置。
【請求項４】
前記デジタルキャンパスのキャンパス色調及び／又はキャンパス印刷色調であるキャンパスプロパティーを調整する前記実体操作部材を備え、空間に一定の形を保有する物理的実体である実体パレットモジュールを設けた前記実体描画ツール部材が含まれることを特徴とする請求項１に記載の実体描画装置。
【請求項５】
前記デジタルブラシの色に関するブラシプロパティーに対応して選択する複数の実体操作部材を備え、空間に一定の形を保有する物理的実体である実体カラースウォッチモジュールを設けた前記実体描画ツール部材が含まれることを特徴とする請求項１に記載の実体描画装置。
【請求項６】
前記デジタルキャンパスのキャンパスズーム、キャンパス移動、キャンパス回転及び／又はキャンパス反転であるキャンパスプロパティーを調整する前記実体操作部材を備え、空間に一定の形を保有する物理的実体である実体ビュー調整モジュールを設けた前記実体描画ツール部材が含まれることを特徴とする請求項１に記載の実体描画装置。
【請求項７】
前記デジタルキャンパスのレイヤーズーム、レイヤーロック、レイヤー表示及び／又はレイヤー非表示であるキャンパスプロパティーを調整する前記実体操作部材を備え、空間に一定の形を保有する物理的実体である実体レイヤーモジュールを設けた前記実体描画ツール部材が含まれることを特徴とする請求項１に記載の実体描画装置。
【請求項８】
前記デジタルブラシの種類に関するブラシプロパティーを調整する前記実体操作部材を備え、空間に一定の形を保有する物理的実体である実体ブラシ選択モジュールを設けた前記実体描画ツール部材が含まれることを特徴とする請求項１に記載の実体描画装置。
【請求項９】
前記デジタルブラシのサイズに関するブラシプロパティーを調整する、空間に一定の形を保有する物理的実体である実体ブラシサイズ選択モジュールを備える前記実体描画ツール部材が含まれることを特徴とする請求項１に記載の実体描画装置。
【請求項１０】
タッチ操作により前記デジタルキャンパスのキャンパスズーム、キャンパス移動、キャンパス回転及び／又はキャンパス反転であるキャンパスプロパティーを調整するタッチディスプレイを備え、前記デジタルキャンパスに応じプレビュー画像を表示する、空間に一定の形を保有する物理的実体である実体プレビュースクリーン部材がさらに含まれることを特徴とする請求項１に記載の実体描画装置。
【考案の詳細な説明】
【技術分野】
【０００１】
本考案は描画インターフェース装置に関するものであって、特に実体を伴う描画装置である。
【背景技術】
【０００２】
今日美術、娯楽から工学及び研究など、多くの場合はコンピュータグラフィックスで所望の画像を描く。その類のコンピュータグラフィックスに係わるソフトはモニターに表示した仮想インターフェースで使用者に操作される。このような仮想インターフェースにより、使用者はマウスでグラフィックツールをクリックしてブラシ種類、色などのプロパティーの設定や調整を行い、そしてポインタの操作により仮想のキャンパスに描画を行う。
【考案の概要】
【考案が解決しようとする課題】
【０００３】
しかし、このような描画を行うにしても、マウスの操作では直感的でヒューマナイズされた操作ができず、使用者にとって適応が難しく、本来の描画技術を存分に発揮することができない。さらに使用者の創作を遅滞させる可能性がある。デジタルスケッチペンなどのサポートツールが使用されるものの、マウスでしかできないいくつかの操作はやはり避けられず、全体的に言って使用が便利だとは言えない。
【課題を解決するための手段】
【０００４】
故に、本考案の目的はインターフェースの操作においてのマウスの使用を控え、ある時は不使用にして、ヒューマナイズされた使用感覚を高め、使用者の創作速度を促進する実体描画装置を提供する。
【０００５】
本考案が従来の技術に抱えてきた問題を解決する手段として提供するのは、前記実体描画装置であって、タッチ入力によるデジタルブラシの操作に基き、画像オブジェクトを表示するデジタルキャンパスが含まれる実体描画表示部材と、物理的なタッチ操作により前記デジタルキャンパスのキャンパスプロパティー及び／または前記デジタルブラシのブラシプロパティーを調整する実体操作部材が少なくとも一つ含まれ、前記実体描画表示部材に機能的に接合される実体描画ツール部材が含まれ、前記実体操作部材は空間に一定の形を保有することを特徴とする描画インターフェース装置を提供する。
【０００６】
本考案の１つの実施形態では、前記実体描画表示部材と前記実体描画ツール部材とは取り外し可能な状態で接合され、または前記実体描画表示部材と前記実体描画ツール部材が取り外し可能な状態で描画ボード部材に設置される。
【０００７】
本考案の１つの実施形態では、感圧式タッチディスプレイが含まれ、前記デジタルブラシのブラシプロパティーと前記デジタルブラシによる前記感圧式タッチディスプレイに対する操作、及び前記感圧式の圧力検出情報に基いて、前記デジタルブラシの色に関するブラシプロパティーを表示する実体デジタルパレット部材がさらに含まれる。
【０００８】
本考案の１つの実施形態では、前記デジタルキャンパスのキャンパス色調及び／又はキャンパス印刷色調であるキャンパスプロパティーを調整する前記実体操作部材を備える実体パレットモジュールが設置された前記実体描画ツール部材が含まれる。
【０００９】
本考案の１つの実施形態では、前記デジタルブラシの色に関するブラシプロパティーに対応して選択する複数の実体操作部材を備える実体カラースウォッチモジュールを設けた前記実体描画ツール部材が含まれる。
【００１０】
本考案の１つの実施形態では、前記デジタルキャンパスのキャンパスズーム、キャンパス移動、キャンパス回転及び／又はキャンパス反転のキャンパスプロパティーを調整する前記実体操作部材を備える実体ビュー調整モジュールを備える前記実体描画ツール部材が含まれる。
【００１１】
本考案の１つの実施形態では、前記デジタルキャンパスのレイヤーズーム、レイヤーロック、レイヤー表示及び／又はレイヤー非表示であるキャンパスプロパティーを調整する前記実体操作部材を備える実体レイヤーモジュールを設けた前記実体描画ツール部材が含まれる。
【００１２】
本考案の１つの実施形態では、前記デジタルブラシの種類に関するブラシプロパティーを調整する前記実体操作部材を備える前記実体描画ツール部材が含まれる。
【００１３】
本考案の１つの実施形態では、前記デジタルブラシのサイズに関するブラシプロパティーを調整する実体ブラシサイズ選択モジュールを含む前記実体描画ツール部材が含まれる。
【００１４】
本考案の１つの実施形態では、タッチ操作により前記デジタルキャンパスのキャンパスズーム、キャンパス移動、キャンパス回転及び／又はキャンパス反転のキャンパスプロパティーを調整するタッチディスプレイを備え、前記デジタルキャンパスに応じてプレビュー画像を表示する実体プレビュースクリーン部材がさらに含まれる。
【考案の効果】
【００１５】
本考案が採用する技術手段により、使用者に提供する画像編集インターフェースは実体化させて表示し、使用者がマウスを介すことなく、直接物理的な接触で操作が行うことができ、さらにはマウスの使用の減少、あるいは完全不使用にする。このようなより直感的で、そしてヒューマナイズされた操作方法により、本考案の実体描画装置で人々にスムーズかつ簡単にできる描画体験を提供する。使用者にとって大いに役立たせるもので、創作速度を高める。
【００１６】
以下の実施形態及び添付図面により、本考案で採用された実施形態を具体的に説明する。
【図面の簡単な説明】
【００１７】
【図１】本考案の実施形態の実体描画装置の斜視図。
【図２】本考案の実施形態の実体描画装置の正面図。
【考案を実施するための形態】
【００１８】
以下は図１及び図２に基いて、本考案の実施形態について説明する。該当説明は本考案の実施形態の一つの例示にすぎず、本考案の実施形態を限定するものではない。
【００１９】
図１及び図２に示すように、本考案の実施形態の実体描画装置１００は、操作パネル１０を含む描画ボード部材１；タッチ入力によるデジタルブラシの操作に基き、画像オブジェクトＯを表示するデジタルキャンパス２１が含まれ、かつ前記操作パネル１０に設置される実体描画表示部材２；物理的なタッチ操作により前記デジタルキャンパス２１のキャンパスプロパティー及び／または前記デジタルブラシのブラシプロパティーを調整して空間に一定の形を保有する実体操作部材が少なくとも一つ含まれ、前記実体描画表示部材２に機能的に接合され、かつ操作パネル１０に設置される実体描画ツール部材３を備える。
【００２０】
本実施形態において、前記描画ボード部材１はボード部及び前記ボード部の後方に支えとして設置されるスタンド１１が含まれる描画スタンドである。前記実体描画表示部材２と実体描画ツール部材３は取り外しが可能な状態で前記描画ボード部材１に設置され、そして前記実体描画表示部材２と実体描画ツール部材３はそれぞれ使用上の都合で前記描画ボード部材１から外して、前記描画ボード部材に再編成したり新しい実体描画ツール部材を前記描画ボード部材に設置することができる。そして、本実施形態において前記実体描画表示部材２と前記実体描画ツール部材３は前記描画ボード部材１に設置されるが、本考案はそれに限らない。他の実施形態においては、前記実体描画表示部材２と前記実体描画ツール部材３は描画ボードがなくても互いに取り外しができるように接合できる。
【００２１】
本実施形態において、前記実体描画表示部材２は前記デジタルキャンパス２１が表示されるタッチディスプレイであり、物理的なタッチ操作をすることで絵を描く。前記物理的なタッチ操作は例に過ぎず、抵抗膜式、静電容量式、圧電式、赤外線式、超音波式、光学式、レーザー式、スピードカメラなどを挙げることができ、各接触方法の組み合せを採用することもできる。
【００２２】
本実施形態において、前記実体描画ツール部材３は、実体パレットモジュール３１、実体カラースウォッチモジュール３２、実体ビュー調整モジュール３３、実体レイヤーモジュール３４、実体ブラシ選択モジュール３５及び実体ブラシサイズ選択モジュール３６が含まれる。それぞれ対応した機能の実行に使用する。前記モジュールは各々外し、再編成したり新しい部品を追加することができる。前記モジュールの実体操作部材はボタン、ホイール、タッチパネル及びスライダーなどから選択することができる。
【００２３】
図１と図２に示すように、前記実体パレットモジュール３１は前記デジタルキャンパス２１のキャンパス色調及び／又はキャンパス印刷色調のキャンパスプロパティーを調整する複数の実体操作部材３１１を含む。具体的に言うと、前記実体操作部材３１１はＲＧＢＡモードやＹＭＣＫモードに切り替えて操作する実体操作部材３１１ａを含み、本実施形態において、前記実体操作部材３１１ａは実体ボタンであり、それを押すことによりモードの切り替えができる。前記実体操作部材３１１は現在スクリーンの明るさ、鮮やかさと色合いを調整する実体操作部材３１１ｂを含み、本実施形態において、前記実体操作部材３１１ｂも実体ボタンである。前記実体操作部材３１１はＲＧＢＡ値やＹＭＣＫ値をそれぞれの調整に使用する実体操作部材３１１ｃをさらに含み、本実施形態において、前記実体操作部材３１１ｃはスライダーであり、それをスライドすることにより前述ＲＧＢＡ値やＹＭＣＫ値などパラメータを調整する。
【００２４】
図１と図２に示すように、前記実体カラースウォッチモジュール３２は複数の実体操作部材３２１を含み、それぞれ前記デジタルブラシの色に関するブラシプロパティーに対応して選択する。具体的に言うと、前記実体操作部材３２１はタッチボタンであり、前記タッチボタンはそれぞれ特定のブラシカラーを表示しており、物理的な接触によりタッチボタンを選択することで、タッチ入力によるデジタルブラシの操作に基き、前記デジタルキャンパス２１に対応したブラシカラーを塗ることができる。当然、前記実体操作部材３２１はタッチボタンであることに限らず、一般のボタンでもよい。
【００２５】
図１と図２に示すように、前記実体ビュー調整モジュール３３は前記デジタルキャンパス２１のキャンパスズーム、キャンパス移動、キャンパス回転及び／又はキャンパス反転であるキャンパスプロパティーを調整する複数の実体操作部材３３１を含む。前記実体操作部材３３１は例に過ぎず、キャンパスズームの調整に使用されるスライダーとホイール（実体操作部材３３１ａ）、キャンパス移動の調整に使用されるボタン（実体操作部材３３１ｂ）、とキャンパスの水平及び垂直反転の調整に使用されるボタン（実体操作部材３３１ｃ）を挙げることができ、これにより使用者を直接物理的な接触で前記実体操作部材３３１を操作させてキャンパスを調整する。
【００２６】
図１と図２が示すように、前記実体レイヤーモジュール３４はデジタルキャンパスのレイヤー移動、レイヤーロック、レイヤー表示及び／又はレイヤー非表示であるキャンパスプロパティーを調整させる複数の前記実体操作部材３４１を含む。前記実体操作部材３４１は例に過ぎず、表示／非表示とロック／アンロックに使用されるボタン（実体操作部材３４１ａ）、レイヤーを新規作成／削除に使用されるボタン（実体操作部材３４１ｂ）、と表示するレイヤーの切り替えに使用されるボタン（実体操作部材３４１ｃ）を挙げることができ、これによりレイヤーをマウスを介さずに設定を加える。
【００２７】
図１と図２が示すように、前記実体ブラシ選択モジュール３５は前記デジタルブラシの種類に関するブラシプロパティーを調整させる複数の実体操作部材３５１を含む。前記実体操作部材３５１はそれぞれのブラシ種類に対応する。例えば：鉛筆、水彩筆、毛筆、エアブラシなど、物理的な接触（例えば、ボタンを押す）により現在のブラシを切り替えることができ、マウスを使用することはない。
【００２８】
図１と図２が示すように、本実施形態において前記実体ブラシサイズ選択モジュール３６は前記デジタルブラシのサイズに関するブラシプロパティーを選択させる複数の実体操作部材３６１を含む。前記実体操作部材３６１は物理的な接触（例えば、ボタンを押す）により現在のブラシサイズを調整したり、直感的、かつ簡単にブラシプロパティーの調整を行う。
【００２９】
図１と図２が示すように、本実施形態において、前記実体描画装置１００は実体デジタルパレット部材４をさらに含む。前記実体デジタルパレット部材４は感圧式タッチディスプレイ４１を含み、前記感圧式タッチディスプレイに対する操作、及び前記感圧式の圧力検出情報に基いて、前記デジタルブラシの色に関するブラシプロパティーを表示する。言い換えると、前記実体デジタルパレット部材４は前記感圧式タッチディスプレイ４１を介して外部からの圧力の強さ、形、方向と角度を測り、色を混ぜる計算を行うと同時に前記感圧式タッチディスプレイ４１に結果を表示して、使用者に実際にパレットで色を混ぜるような感覚を与える。この方法は一般の値調節（例えば、ＲＧＢ値の設定）であるカラー設定方法より直感的で、より実際のパレット使用体験に近いものになる。
【００３０】
図１と図２が示すように、本実施形態において、前記実体描画装置１００は実体プレビュースクリーン部材５をさらに含む。前記実体プレビュースクリーン部材５はタッチディスプレイ５１を含みその機能の一部は前記実体ビュー調整モジュール３３に類似しており、タッチ操作により前記デジタルキャンパス２１のキャンパスズーム、キャンパス移動、キャンパス回転及び／又はキャンパス反転であるキャンパスプロパティーを調整し、かつ前記デジタルキャンパス２１に応じプレビュー画像を表示する。
【００３１】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３２】
１        描画ボード部材
１０      操作パネル
１００    実体描画装置
２        実体描画表示部材
２１      デジタルキャンパス
Ｏ        画像オブジェクト
３        実体描画ツール部材
３１      実体パレットモジュール
３１１    実体操作部材
３１１ａ  実体操作部材
３１１ｂ  実体操作部材
３１１ｃ  実体操作部材
３２      実体カラースウォッチモジュール
３２１    実体操作部材
３３      実体ビュー調整モジュール
３３１    実体操作部材
３３１ａ  実体操作部材
３３１ｂ  実体操作部材
３３１ｃ  実体操作部材
３４      実体レイヤーモジュール
３４１    実体操作部材
３４１ａ  実体操作部材
３４１ｂ  実体操作部材
３４１ｃ  実体操作部材
３５      実体ブラシ選択モジュール
３５１    実体操作部材
３６      実体ブラシサイズ選択モジュール
３６１    実体操作部材
４        実体デジタルパレット部材
４１      感圧式タッチディスプレイ
５        実体プレビュースクリーン部材
５１      タッチディスプレイ
【図１】
0003190732.tif 000003
【図２】
0003190732.tif 000004